(57)【要約】【課題】  変速機の変速比を制御する場合に、エンジンブレーキ力以外の課題をも、変速比の制御に反映させることの可能な車両用の変速制御装置を提供する。【解決手段】  エンジンから車輪に至る動力伝達経路に変速機が設けられており、変速機の変速比を制御する車両用の変速制御装置において、変速機の変速比の変化にともなうエンジンブレーキ力の変化を判断し、エンジンブレーキ力の変化にともなう車輪のロック状況を判断するとともに、車輪のロック状況の判断結果に基づいて、変速機の変速比を制御する第１の変速比制御手段（ステップＳ１，Ｓ２，Ｓ３，Ｓ４，Ｓ７，Ｓ８）を有している。【選択図】  図１
2005090689.tif 000002
【特許請求の範囲】
【請求項１】
エンジンから車輪に至る動力伝達経路に変速機が設けられており、この変速機の変速比を制御する車両用の変速制御装置において、
前記変速機の変速比の変化にともなうエンジンブレーキ力の変化を判断し、そのエンジンブレーキ力の変化にともなう前記車輪のロック状況を判断するとともに、この車輪のロック状況の判断結果に基づいて、前記変速機の変速比を制御する第１の変速比制御手段を有していることを特徴とする車両用の変速制御装置。
【請求項２】
エンジンから車輪に至る動力伝達経路に変速機が設けられており、車両における減速要求に基づいて、前記変速機の変速比を制御する車両用の変速制御装置において、
前記減速要求が所定値を越える場合は、前記変速機の変速比の変化にともなうエンジンブレーキ力の変化に起因して、前記車輪がロックする状況を判断するとともに、その判断結果に基づいて、前記変速機の変速比を制御する第２の変速比制御手段を有していることを特徴とする車両用の変速制御装置。
【請求項３】
前記減速要求が所定値以下であると判断された場合は、前記減速要求が所定値以下であると判断される以前における変速機の変速比を維持する第３の変速比制御手段を、更に有していることを特徴とする請求項２に記載の車両用の変速制御装置。
【請求項４】
エンジンから車輪に至る動力伝達経路に変速機が設けられており、車両における減速要求に基づいて、前記変速機の変速比を制御する車両用の変速制御装置において、
前記減速要求が所定値を越える場合は、前記変速機の変速比の変化にともなうエンジン回転数の上昇に起因して生じる騒音の状況を判断するとともに、その判断結果に基づいて、前記変速機の変速比を制御する第４の変速比制御手段を有していることを特徴とする車両用の変速制御装置。
【請求項５】
前記減速要求が所定値以下であると判断された場合は、前記減速要求が所定値以下であると判断される以前における前記変速機の変速比を維持する第５の変速比制御手段を、更に有していることを特徴とする請求項４に記載の車両用の変速制御装置。
【発明の詳細な説明】
【技術分野】
【０００１】
この発明は、車両に搭載される変速機の変速比を制御する車両用の変速制御装置に関するものである。
【背景技術】
【０００２】
従来、車両に搭載されている変速機を制御する制御装置として、車速制御要求などの条件に基づいて、変速機の入力部材と出力部材との間における変速比を、アクチュエータで制御することの可能な変速機の制御装置が知られている。このような変速機の制御装置の一例が、特許文献１に記載されている。この特許文献１に記載された車両においては、エンジンの駆動力が動力伝達率可変機構を介して、変速機に入力されるようになっている。この変速機は、変速比が無段階に変化する無段変速機であり、無段変速機の変速比を制御する制御回路が設けられている。そして、特許文献１には、アイドルスイッチとブレーキスイッチとから運転者が減速しようとしていることを判断するとともに、運転者の操作したブレーキによる減速度を演算して、このときの車速と減速度に最適なエンジンブレーキが作用するような目標変速比を設定し、実際の変速比を制御することが記載されている。このため、車両の減速度に応じたエンジンブレーキ力を作用させることができ、より安全で効果的な減速をおこなうことができるとされている。
【特許文献１】特許第２７２３１４６号公報
【発明の開示】
【発明が解決しようとする課題】
【０００３】
ところで、上記の特許文献１の公報に記載されている変速機の制御装置においては、減速度に最適なエンジンブレーキ力を作用する目標変速比を設定することに止まり、エンジンブレーキ力以外の課題については認識されておらず、その点で改善の余地があった。
【０００４】
この発明は上記の事情を背景としてなされたものであり、変速機の変速比を制御する場合に、エンジンブレーキ力以外の課題をも、変速比の制御に反映させることの可能な車両用の変速制御装置を提供することを目的としている。
【課題を解決するための手段】
【０００５】
上記の目的を達成するために、請求項１の発明は、エンジンから車輪に至る動力伝達経路に変速機が設けられており、この変速機の変速比を制御する車両用の変速制御装置において、前記変速機の変速比の変化にともなうエンジンブレーキ力の変化を判断し、そのエンジンブレーキ力の変化にともなう前記車輪のロック状況を判断するとともに、この車輪のロック状況の判断結果に基づいて、前記変速機の変速比を制御する第１の変速比制御手段を有していることを特徴とするものである。
【０００６】
また、請求項２に係る発明は、エンジンから車輪に至る動力伝達経路に変速機が設けられており、車両における減速要求に基づいて、前記変速機の変速比を制御する車両用の変速制御装置において、前記減速要求が所定値を越える場合は、前記変速機の変速比の変化にともなうエンジンブレーキ力の変化に起因して、前記車輪がロックする状況を判断するとともに、その判断結果に基づいて、前記変速機の変速比を制御する第２の変速比制御手段を有していることを特徴とするものである。
【０００７】
さらに、請求項３に係る発明は、請求項２の構成に加えて、前記減速要求が所定値以下であると判断された場合は、前記減速要求が所定値以下であると判断される以前における変速機の変速比を維持する第３の変速比制御手段を、更に有していることを特徴とするものである。
【０００８】
さらにまた、請求項４に係る発明は、エンジンから車輪に至る動力伝達経路に変速機が設けられており、車両における減速要求に基づいて、前記変速機の変速比を制御する車両用の変速制御装置において、前記減速要求が所定値を越える場合は、前記変速機の変速比の変化にともなうエンジン回転数の上昇に起因して生じる騒音の状況を判断するとともに、その判断結果に基づいて、前記変速機の変速比を制御する第４の変速比制御手段を有していることを特徴とするものである。
【０００９】
さらに、請求項５に係る発明は、請求項４の構成に加えて、前記減速要求が所定値以下であると判断された場合は、前記減速要求が所定値以下であると判断される以前における前記変速機の変速比を維持する第５の変速比制御手段を、更に有していることを特徴とするものである。
【発明の効果】
【００１０】
請求項１の発明によれば、変速機の変速比の変化にともなうエンジンブレーキ力の変化を判断し、エンジンブレーキ力の変化にともなう車輪のロック状況を判断するとともに、車輪のロック状況の判断結果に基づいて、変速機の変速比を制御することができる。したがって、車速制御要求に応じて変速比を制御する場合に、変速比の変化にともなう車輪のロックを抑制できる。
【００１１】
請求項２の発明によれば、車両における減速要求に基づいて、変速機の変速比を制御するにあたり、減速要求が所定値を越える場合は、変速機の変速比の変化にともなうエンジンブレーキ力の変化を判断する。そして、エンジンブレーキ力の変化にともなう車輪のロック状況を判断するとともに、車輪のロック状況の判断結果に基づいて、変速機の変速比を制御することができる。したがって、減速要求に応じて変速比を制御する場合に、変速比の変化にともなう車輪のロックを抑制できる。
【００１２】
請求項３の発明によれば、請求項２の発明と同様の効果を得ることができる他に、減速要求が所定値以下である場合は、減速要求が所定値以下となる以前における変速機の変速比を維持することができる。したがって、減速要求に代わって加速要求が生じた場合における車両の加速性能を確保することができる。
【００１３】
請求項４の発明によれば、車両における減速要求に基づいて、変速機の変速比を制御するにあたり、減速要求が所定値を越える場合は、変速機の変速比の変化にともなうエンジン回転数の上昇に起因して生じる騒音の状況を判断するとともに、その判断結果に基づいて、変速機の変速比を制御することができる。したがって、エンジン回転数の上昇に起因する騒音を抑制できる。
【００１４】
請求項５の発明によれば、請求項４の発明と同様の効果を得ることができる他に、減速要求が所定値以下である場合は、減速要求が所定値以下となる以前における変速機の変速比を維持することができる。したがって、減速要求に代わって加速要求が生じた場合における車両の加速性能を確保することができる。
【発明を実施するための最良の形態】
【００１５】
つぎに、この発明の実施例を図面に基づいて説明する。まず、この発明を適用できる車両のパワートレーン、およびその車両の制御系統の一例を、図２に示す。図２に示す車両Ｖｅにおいては、エンジン１と車輪２との間の動力伝達経路に、流体伝動装置３、ロックアップクラッチ４、前後進切り換え機構５、ベルト式無段変速機６などが設けられている。エンジン１としては、内燃機関、例えば、ディーゼルエンジン、ガソリンエンジン、ＬＰＧエンジンなどを用いることができる。
【００１６】
また、流体伝動装置３およびロックアップクラッチ４は、エンジン１と前後進切り換え機構５との間の動力伝達経路に設けられており、流体伝動装置３とロックアップクラッチ４とは相互に並列に配置されている。流体伝動装置３は、流体の運動エネルギにより動力を伝達する装置であり、ロックアップクラッチ４は、摩擦力により動力を伝達する装置である。前後進切り換え機構５は、遊星歯車機構（図示せず）および油圧制御式の摩擦係合装置（図示せず）、例えば、ブレーキおよびクラッチを有している。
【００１７】
そして、摩擦係合装置の係合・解放を切り換えることにより、入力部材に対する出力部材の回転方向を、選択的に切り換えることが可能である。また、摩擦係合装置の係合・解放を制御することにより、前後進切り換え機構５を、エンジン１と車輪２との間における動力伝達を可能な状態と不可能な状態とに切り換えることが可能である。
【００１８】
ベルト式無段変速機６は、前後進切り換え機構５と車輪２との間の動力伝達経路に設けられている。ベルト式無段変速機６は、相互に平行に配置されたプライマリシャフト７およびセカンダリシャフト８を有している。このプライマリシャフト７にはプライマリプーリ９が設けられており、セカンダリシャフト８にはセカンダリプーリ１０が設けられている。プライマリプーリ９は、プライマリシャフト７に固定された固定シーブ１１と、プライマリシャフト７の軸線方向に移動できるように構成された可動シーブ１２とを有している。そして、固定シーブ１１と可動シーブ１２との間に溝Ｍ１が形成されている。
【００１９】
また、この可動シーブ１２をプライマリシャフト７の軸線方向に動作させることにより、可動シーブ１２と固定シーブ１１とを接近・離隔させる油圧サーボ機構１３が設けられている。この油圧サーボ機構１３は、油圧室１９と、油圧室１９の油圧に応じてプライマリシャフト７の軸線方向に動作し、かつ、可動シーブ１２に接続されたピストン（図示せず）とを備えている。
【００２０】
一方、セカンダリプーリ１０は、セカンダリシャフト８に固定された固定シーブ１４と、セカンダリシャフト８の軸線方向に移動できるように構成された可動シーブ１５とを有している。そして、固定シーブ１４と可動シーブ１５との間にはＶ字形状の溝Ｍ２が形成されている。
【００２１】
また、この可動シーブ１５をセカンダリシャフト８の軸線方向に動作させることにより、可動シーブ１５と固定シーブ１４とを接近・離隔させる油圧サーボ機構１６が設けられている。この油圧サーボ機構１６は、油圧室１００と、油圧室１００の油圧によりセカンダリシャフト８の軸線方向に動作し、かつ、可動シーブ１５に接続されたピストン（図示せず）とを備えている。上記構成のプライマリプーリ９およびセカンダリプーリ１０に、無端状のベルト１７が巻き掛けられている。
【００２２】
一方、ベルト式無段変速機６の油圧サーボ機構１３，１６およびロックアップクラッチ４、および前後進切り換え機構５を制御する機能を有する油圧制御装置１８が設けられている。さらに、エンジン１、ロックアップクラッチ４、前後進切り換え機構５、ベルト式無段変速機６、油圧制御装置１８を制御するコントローラとしての電子制御装置５２が設けられており、この電子制御装置５２は、演算処理装置（ＣＰＵまたはＭＰＵ）および記憶装置（ＲＡＭおよびＲＯＭ）ならびに入出力インターフェースを主体とするマイクロコンピュータにより構成されている。
【００２３】
この電子制御装置５２に対しては、シフトポジション選択装置５０の操作状態、エンジン回転数、加速要求（例えばアクセルペダルの操作状態）、減速要求（例えば、ブレーキペダルの操作状態）、スロットルバルブの開度、プライマリシャフト７の回転数、セカンダリシャフト８の回転数などの検知信号が入力される。このシフトポジション選択装置５０を、車両の乗員が操作することにより、パーキング（Ｐ）ポジション、リバース（Ｒ）ポジション、ニュートラル（Ｎ）ポジション、ドライブ（Ｄ）ポジションなどのシフトポジションを選択的に切換可能である。パーキングポジションおよびニュートラルポジションは、エンジン１と車輪２との間における動力伝達経路の状態を、動力伝達不可能とする場合に選択される非駆動ポジションである。これに対して、リバースポジションおよびドライブポジションは、エンジン１と車輪２との間における動力伝達経路の状態を、動力伝達可能とする場合に選択される駆動ポジションである。
【００２４】
図１に示す車両Ｖｅの機能を説明する。電子制御装置５２には各種のデータが記憶されており、電子制御装置５２に入力される信号、および記憶されているデータに基づいて、電子制御装置５２から、エンジン１を制御する信号、ベルト式無段変速機６を制御する信号、前後進切り換え機構５を制御する信号、ロックアップクラッチ４を制御する信号、油圧制御装置１８を制御する信号、表示器５４を制御する信号などが出力される。
【００２５】
前記シフトポジション選択装置５０の信号に基づいて、前後進切り換え機構５が制御される例を説明する。例えば、ニュートラルポジションまたはパーキングポジションが選択された場合は、前後進切り換え機構５が動力伝達不可能な状態となる。
【００２６】
これに対して、ドライブポジションまたはリバースポジションが選択された場合は、前後進切り換え機構５は動力伝達可能な状態となる。すると、エンジン１の動力は、流体伝動装置３またはロックアップクラッチ４、および前後進切り換え機構５を経由して、ベルト式無段変速機６のプライマリシャフト７に伝達される。プライマリシャフト７のトルクは、プライマリプーリ９、ベルト１７、セカンダリプーリ１０を介してセカンダリシャフト８に伝達される。そして、セカンダリシャフト８のトルクが車輪２に伝達されて駆動力が発生する。
【００２７】
つぎに、ベルト式無段変速機６の変速制御について説明する。まず、油圧サーボ機構１３の油圧室１９におけるオイル量が制御されるとともに、油圧室１９におけるオイル量に基づいて、プライマリプーリ９の可動シーブ１２を軸線方向に動作させる推力が調整される。また、油圧サーボ機構１６の油圧室１００の油圧により、セカンダリプーリ１０の可動シーブ１５を軸線方向に動作させる推力（挟圧力）が調整される。そして、可動シーブ１２の軸線方向の動作に応じて溝Ｍ１の幅が変化し、可動シーブ１５の軸線方向の動作に応じて溝Ｍ２の幅が変化する。
【００２８】
上記のようにして、溝Ｍ１の幅が調整されると、プライマリプーリ９におけるベルト１７の巻き掛け半径と、セカンダリプーリ１０におけるベルト１７の巻き掛け半径との比が変化する。その結果、プライマリシャフト７およびプライマリプーリ９と、セカンダリシャフト８およびセカンダリプーリ１０との間の回転速度の比、すなわち変速比が変化する。具体的には、油圧室１９のオイル量が増加して溝Ｍ１の幅が狭められると、プライマリプーリ９におけるベルト１７の巻き掛け半径が大きくなり、ベルト式無段変速機６の変速比が小さくなるように変速する。変速比が小さくなるような変速をアップシフトと呼ぶ。これに対して、油圧室１９のオイル量が減少して溝Ｍ１の幅が広げられると、プライマリプーリ９におけるベルト１７の巻き掛け半径が小さくなり、ベルト式無段変速機６の変速比が大きくなるように変速する。変速比が大きくなるような変速をダウンシフトと呼ぶ。ダウンシフトまたはアップシフトのいずれにおいても、ベルト式無段変速機６の変速比を、連続的に、言い換えれば、無段階に制御することが可能である。
【００２９】
一方、セカンダリプーリ１０において、溝Ｍ２の幅が調整されると、ベルト１７に加えられる挟圧力およびベルト１７の張力が変化し、かつ、プライマリシャフト７とセカンダリシャフト８との間で伝達されるトルクの容量が制御される。具体的には、油圧サーボ機構１６の油圧室１００の油圧が高められて、ベルト１７に加えられる挟圧力が増加すると、ベルト１７のトルク容量が増加する。これに対して、油圧サーボ機構１６の油圧室１００の油圧が低下されてベルト１７に加えられる挟圧力が減少すると、ベルト１７のトルク容量が低下する。
【００３０】
上記のようなベルト式無段変速機６の制御と、電子制御装置５２に入力される信号などとの対応関係を説明する。まず、ドライブポジションが選択され、車速、車速制御要求を示す信号（アクセルペダルの操作状態、スロットル開度、ブレーキペダルの操作状態）、および電子制御装置５２に記憶されている変速マップに基づいて、ベルト式無段変速機６の目標変速比が算出され、ベルト式無段変速機６の実際の変速比を、目標変速比に近づける制御が実行される。なお、車速は、セカンダリシャフト８の回転数に基づいて算出される。
【００３１】
つぎに、ベルト式無段変速機６の変速制御の具体例を、図１のフローチャートに基づいて説明する。図１に示すように、減速ダウンシフト制御の実行中における変速比を設定する制御においては、まず、減速ダウンシフト制御が既に実行されているか否かが判断される（ステップＳ１）。ここで、「減速ダウンシフト制御」とは、「車両Ｖｅにおける減速要求が所定値を越えている場合に、ベルト式無段変速機６の変速比を大きくする制御」を意味する。また、車両Ｖｅにおける減速要求の程度は、アクセルペダルおよびブレーキペダルの操作状態などから判断される。例えば、アクセルペダルが踏まれていない状態で、ブレーキペダルの踏み込み量が所定量を越えた場合、または、ブレーキペダルの踏み込み速度が所定速度を越えた場合に、「車両における減速要求が所定値を越えた」と判断される。
【００３２】
また、減速ダウンシフト制御と、車両における減速要求が所定値以下である場合に実行される変速制御（以下、通常の変速制御と記す）では、その制御内容が異なる。具体的には、減速ダウンシフト制御により算出される目標変速比は、通常の変速制御の場合に算出される目標変速比とは異なる。より具体的には、車速が同じであっても、減速ダウンシフト制御により算出される減速ダウンシフト制御により算出される目標変速比の方が、通常の変速制御で算出される目標変速比よりも大きくなる。
【００３３】
上記のステップＳ１で否定的に判断された場合は、減速ダウンシフト制御の実行条件が不成立から成立に切り替わったか否かが判断される（ステップＳ２）。例えば、アクセルペダルからブレーキペダルへの踏み替え操作がおこなわれた時点で、減速ダウンシフト制御の実行条件が成立する。このステップＳ２で否定的に判断された場合は、図１に示すルーチンを終了する。
【００３４】
一方、前記ステップＳ１で肯定的に判断された場合は、ブレーキオン、つまりブレーキペダルが踏まれているか否かが判断される（ステップＳ３）。このステップＳ３で肯定的に判断された場合は、ステップＳ４に進む。また、前記ステップＳ２で肯定的に判断された場合も、ステップＳ４に進む。
【００３５】
このステップＳ４では、減速度または減速度の変化率のうち、少なくとも一方に基づいて、ベルト式無段変速機６の目標変速比（ＴＲＴ（Ｉ））が算出される。減速度および減速度の変化率は、車速の経時変化に基づいて算出可能である。このステップＳ４についで、今回のルーチン実行により算出された目標変速比（ＴＲＴ（Ｉ））が、前回のルーチン実行により算出された目標変速比（ＴＲＴ（Ｉ−１））を越えているか否かが判断される（ステップＳ５）。このステップＳ５で否定的に判断された場合、つまり、減速要求が現状維持または低下している場合は、前回のルーチン実行により算出された目標変速比（ＴＲＴ（Ｉ−１））を、目標変速比（ＴＲＴ（Ｉ））として選択し（ステップＳ６）、ステップＳ７に進む。
【００３６】
これに対して、前記ステップＳ５で肯定的に判断された場合は、ステップＳ６を迂回してステップＳ７に進む。すなわち、減速要求が増加している場合は、今回のルーチン実行により算出された目標変速比（ＴＲＴ（Ｉ））が、目標変速比として保持される。
【００３７】
ステップＳ７においては、このステップＳ７以前の処理で算出された目標変速比（ＴＲＴ（Ｉ））が、変速比のガード値ＴＲＴｇｄ（ＳＰＤ）未満であるか否かが判断される。この変速比のガード値ＴＲＴｇｄ（ＳＰＤ）は、図１に示すルーチンの処理時における車速および実際の変速比から判断して、その実際の変速比からダウンシフトされて、エンジンブレーキ力が急激に強められた場合でも、車輪２がロックする可能性の少ない変速比に相当する。このステップＳ７で否定的に判断されるということは、ステップＳ７以前の処理で算出された目標変速比を用いて、減速ダウンシフトを実行すると、エンジンブレーキ力が急激に強められて、車輪２がロックする可能性がある。そこで、ステップＳ７で否定的に判断された場合は、目標変速比（ＴＲＴ（Ｉ））として、変速比のガード値ＴＲＴｇｄ（ＳＰＤ）が選択され（ステップＳ８）、ステップＳ９に進む。これに対して、ステップＳ７で肯定的に判断された場合は、ステップＳ８を迂回してステップＳ９に進む。
【００３８】
ステップＳ９においては、このステップＳ９以前の処理で算出された目標変速比（ＴＲＴ（Ｉ））が、変速比のガード値ＴＲＴｇｄ（ＮＥ）未満であるか否かが判断される。変速比のガード値ＴＲＴｇｄ（ＮＥ）は、図１に示すルーチンの処理時における車速および実際の変速比から判断して、その実際の変速比よりも小さい変速比にダウンシフトされてエンジン回転数が上昇した場合でも、エンジンノイズが生じる可能性の少ない変速比を意味する。このステップＳ９で否定的に判断されるということは、ステップＳ９以前の処理で算出された目標変速比を用いて、減速ダウンシフトを実行すると、エンジン回転数の上昇によるエンジンノイズが生じる可能性がある。
【００３９】
そこで、ステップＳ９で否定的に判断された場合は、目標変速比（ＴＲＴ（Ｉ））として、変速比のガード値ＴＲＴｇｄ（ＮＥ）が選択され（ステップＳ１０）、図１の制御ルーチンを終了する。これに対して、ステップＳ９で肯定的に判断された場合は、図１の制御ルーチンを終了する。なお、前記ステップＳ３で否定的に判断された場合は、前回のルーチンの処理で選択された目標変速比（ＴＲＴ（Ｉ−１））を、目標変速比（ＴＲＴ（Ｉ））として選択し（ステップＳ１１）、図１の制御ルーチンを終了する。なお、ステップＳ４、ステップＳ６、ステップＳ８で選択される目標変速比は、いずれも仮の目標変速比であり、ステップＳ９で肯定的に判断された場合、または、ステップＳ９およびステップＳ１０の処理がおこなわれた場合において、いずれかのステップで算出された仮の目標変速比を、正式な目標変速比として確定する。
【００４０】
以上のように、ステップＳ３ないしステップＳ６において、減速度、減速度変化率に基づいて運転者の減速意図を判断し、その判断結果に基づいた目標変速比を算出することが可能である。そして、ベルト式無段変速機６の実際の変速比を目標変速比に近づけるような減速ダウンシフトを実行することで、減速要求に対応したエンジンブレーキ力を得ることができる。また、ステップＳ６、ステップＳ１１においては、前回のルーチン実行により算出された目標変速比が維持されるため、車両Ｖｅの加速要求が生じた場合、つまり、アクセルペダルが踏まれた場合に、車両Ｖｅの加速性能を確保することが可能である。
【００４１】
また、車両が高車速で走行中に、減速ダウンシフトにより大変速比にダウンシフトすると、急激にエンジンブレーキ力が強められて、車輪２がロックする可能性がある。これに対して、ステップＳ７、ステップＳ８の処理により算出した目標変速比となるように、減速ダウンシフトを実行すれば、車輪２のロックを抑制可能である。さらに、目標変速比として、エンジン回転数が所定回転数以上となる大変速比を選択すると、減速ダウンシフトによりエンジンノイズが生じる可能性がある。このような状態は、減速ダウンシフトが終了されるまで継続されるため、運転者が違和感を持つ。これに対して、ステップＳ９、ステップＳ１０の処理で選択した目標変速比を用いることにより、減速ダウンシフトによるエンジンノイズの発生を抑制可能である。
【００４２】
なお、図２においては、無段変速機としてベルト式無段変速機６が示されているが、他の無段変速機、例えば、トロイダル式無段変速機を有する車両にこの発明を適用することも可能である。このトロイダル式無段変速機は、トロイダル面を有する入力ディスクおよび出力ディスクと、各ディスクに対して接触するパワーローラとを有する変速機である。入力ディスクは入力回転部材に連結され、出力ディスクは出力回転部材に連結される。各ディスクとパワーローラとの接触面には潤滑油が存在する。そして、パワーローラを、各ディスクの軸線に直交する平面内で直線状に移動させて、パワーローラと各ディスクとの接触半径を調整することにより、入力回転部材と出力回転部材との間の変速比が制御される。また、各ディスクとパワーローラとの接触面圧を調整することにより、入力回転部材と出力回転部材との間で伝達されるトルクの容量が制御される。また、入力回転部材と出力回転部材との間における変速比を、段階的もしくは不連続に制御可能な変速機（有段変速機）を有する車両を、請求項に記載された発明により制御することも可能である。さらに、変速機の変速比を制御するアクチュエータは、油圧式のアクチュエータ、空気圧式のアクチュエータ、電磁式のアクチュエータなどのうち、いずれが用いられている構成でも、請求項に係る発明を実施可能である。
【００４３】
ここで、この実施例の構成と、発明の構成との対応関係を説明すれば、無段変速機、例えば、ベルト式無段変速機およびトロイダル式無段変速機が、この発明の変速機に相当し、ステップＳ１、ステップＳ２、ステップＳ３、ステップＳ４、ステップＳ７、ステップＳ８が、この発明の第１の変速比制御手段および第２の変速比制御手段に相当し、ステップＳ７で肯定的に判断される場合が、この発明の第３の変速比制御手段に相当し、ステップＳ１、ステップＳ２、ステップＳ３、ステップＳ４、ステップＳ９、ステップＳ１０が、この発明の第４の変速比制御手段に相当し、ステップＳ９で肯定的に判断される場合が、この発明の第５の変速比制御手段に相当する。
【００４４】
また、図１の制御例において、ステップＳ７で肯定判断される場合が、請求項２の発明の「減速要求が所定値を越える場合」に相当し、ステップＳ７で否定的に判断される場合が、請求項３の発明の「減速要求が所定値以下であると判断された場合」に相当する。また、ステップＳ９で肯定判断される場合が、請求項４の発明の「減速要求が所定値を越える場合」に相当し、ステップＳ９で否定的に判断される場合が、請求項５の発明の「減速要求が所定値以下であると判断された場合」に相当する。さらに、各請求項の発明における「変速機の変速比」には、変速機の実際の変速比、および変速機の目標変速比の両方が含まれる。
【００４５】
さらに、特許請求の範囲の各請求項に記載されている「変速比制御手段」を、「変速比制御器」または「変速比制御用コントローラ」と読み替えることも可能である。この場合、電子制御装置５２が、変速比制御器または変速比制御用コントローラに相当する。さらにまた、特許請求の範囲の各請求項に記載されている「変速比制御手段」を、「変速比制御ステップ」と読み替え、「車両用の変速制御装置」を、「車両用変速機の制御方法」と読み替えることも可能である。
【図面の簡単な説明】
【００４６】
【図１】この発明の制御例を示すフローチャートである。
【図２】この発明の制御装置を適用可能な車両のパワートレーンおよび制御系統を示す概念図である。
【符号の説明】
【００４７】
１…エンジン、  ２…車輪、  ６…ベルト式無段変速機、  ５２…電子制御装置。
【図１】
2005090689.tif 000003
【図２】
2005090689.tif 000004